(57)【要約】【課題】ボード上面に対象物を引っ掛けて固定する器具において、ボードの厚さに関わらずしっかりと固定できるようにする。【解決手段】ボード上縁用支持具を、略水平に配置される板体であって上面から下面に至るネジ穴が設けられるネジ穴上面部とこれの一端から下垂する板体からなる第一下垂部とからなる第一L字部材と、前記第一L字部材の前記ネジ穴上面部と重なるように配置される板体であって長穴が形成される長穴上面部とこれの前記第一下垂部に対向する側の端部から下垂する板体からなる第二下垂部とからなり、前記長穴は前記ネジ穴上面部のネジ穴部分に重なるように前記第一下垂部から前記第二下垂部に至る方向に沿って設けられるものである第二L字部材と、前記長穴を介して前記ネジ穴に係合することで、前記長穴上面部を前記ネジ穴上面部に固定する固定ネジとから構成し、前記第一下垂部又は前記第二下垂部のいずれか一方に前記対象物を固定する。【選択図】  図１
0003157594.tif 000002
【実用新案登録請求の範囲】
【請求項１】
垂直に立てられたボードの上縁部に対象物を引っ掛けて固定するための器具であって、
略水平に配置される板体又は棒体からなり、上面から下面に至るネジ穴が設けられるネジ穴上面部と当該ネジ穴上面部の一端から下垂する板体又は棒体からなる第一下垂部とからなる第一L字部材と、
前記第一L字部材の前記ネジ穴上面部と重なるように配置される板体又は棒体からなる長穴が形成される長穴上面部と当該長穴上面部の前記第一下垂部に対向する側の端部から下垂する板体又は棒体からなる第二下垂部とからなり、前記長穴は前記ネジ穴上面部のネジ穴部分に重なるように前記第一下垂部から前記第二下垂部に至る方向に沿って設けられるものである第二L字部材と、
前記長穴を介して前記ネジ穴に係合することで、前記長穴上面部を前記ネジ穴上面部に固定する固定ネジとからなり、
前記第一下垂部又は前記第二下垂部のいずれか一方に前記対象物を直接的又は間接的に固定するものである
ボード上縁用支持具。
【請求項２】
前記第一下垂部又は前記第二下垂部のいずれか一方に前記対象物を保持する対象物保持手段が設けられるものであるボード上縁用支持具。
【考案の詳細な説明】
【技術分野】
【０００１】
本考案は、垂直に立ったボードの上縁に対象物を固定する器具に関する。
【背景技術】
【０００２】
パチンコ台やスロット台には、機種を表示するためにプレートや旗を機器の近傍に固定する必要がある。従来、このようなプレートや旗を固定するために、プレートを固定する器具であるプレートキャッチや旗を立てる旗立てを、幕板と呼ばれる台上の装飾と配線・配管の目隠しを兼ねたボードに強力な粘着シートを用いて貼り付けている。
また、ある程度の重量のある旗やプレートは相当強力な粘着シートを使用しないと、使用しているうちに粘着力が保持する部材の重量に負けて落下するなどの事故が起こる危険性があり、これを防止する為に、強力な粘着シートを使用した上に木ネジなどで固着する事も行われている。
【０００３】
しかし、パチンコ・スロット等のアミューズメント機器は頻繁に機種の入れ替えなどが行われ、その都度幕板表面の装飾シート等も張り替えられることが多い。この場合、上記の方法で取り付けられたプレートキャッチや旗立ては剥される事になるが、幕板表面が破れたりプレートキャッチや旗立てが変形して使用出来なくなる事がある。これを避けるために、幕板の上部に引っ掛ける旗立てや、合成樹脂板を下垂するように幕板の上縁に引っ掛け、下垂させた合成樹脂板に粘着テープでプレートキャッチや旗立てを固定する器具などが考案されている。
このように幕板の上縁に引っ掛けて固定すると、幕板表面の装飾シート等を貼りかえる際にも、簡易に取り外して貼りかえ後に再び固定できるので、器具が破損することを防ぐことができる。
【考案の概要】
【考案が解決しようとする課題】
【０００４】
しかし、上述した幕板は店舗によって厚みが千差万別であるので、幕板の上縁に旗立てや合成樹脂板を引っ掛ける器具を各幕板ごとに製作する必要があり、製造コストがかかるという問題が生じる。
本考案は、このような事情に鑑みて、垂直に立ったボード上面に対象物を引っ掛けて固定する器具において、ボードの厚さに関わらず、しっかりと固定できるようにすることを課題とする。
【課題を解決するための手段】
【０００５】
上記課題を解決するために、本考案は次のような構成を有する。
請求項１に記載の考案は、垂直に立てられたボードの上縁部に対象物を引っ掛けて固定するためのボード上縁用支持具であり、第一L字部材と第二L字部材と固定ネジとを有する。第一L字部材は、略水平に配置される板体又は棒体からなり、上面から下面に至るネジ穴が設けられるネジ穴上面部と当該ネジ穴上面部の一端から下垂する板体又は棒体からなる第一下垂部とから構成される。第二L字部材は、前記第一L字部材の前記ネジ穴上面部と重なるように配置される板体又は棒体からなる長穴が形成される長穴上面部と当該長穴上面部の前記第一下垂部に対向する側の端部から下垂する板体又は棒体からなる第二下垂部とから構成され、前記長穴は前記ネジ穴上面部のネジ穴部分に重なるように前記第一下垂部から前記第二下垂部に至る方向に沿って設けられる。固定ネジは、前記長穴を介して前記ネジ穴に係合することで、前記長穴上面部を前記ネジ穴上面部に固定する。そして、前記第一下垂部又は前記第二下垂部のいずれか一方には直接的又は間接的に前記対象物が固定される。
請求項２に記載の考案は、前記ボード上縁用支持具において、前記第一下垂部又は前記第二下垂部のいずれか一方には前記対象物を保持する対象物保持手段が設けられるものである。
【考案の効果】
【０００６】
請求項１に記載の考案は、第一下垂部及び第二下垂部を両端に有するコの字状の部分でボード上縁部に引っ掛けて固定するものであり、長穴上面部の第一下垂部から第二下垂部に至る方向に沿って設けられる長穴と、ネジ穴上面部のネジ穴との締結位置を調節することで、第一下垂部と第二下垂部との距離を変更できる。即ち、取り付けるボードの厚さに合わせて第一下垂部と第二下垂部との距離を適切に調節できるので、ボードの厚さに関わらずボード上縁にしっかりと引っ掛けて固定することができる。
請求項２に記載の考案は、前記第一下垂部又は前記第二下垂部のいずれか一方に対象物保持手段を設けることで、粘着テープなどを用いることなく対象物を本ボード上縁用支持具に固定することができる。
【図面の簡単な説明】
【０００７】
【図１】実施形態に係るボード上縁用支持具の斜視図である。
【図２】実施形態に係るボード上縁用支持具の分解斜視図である。
【図３】実施形態に係るボード上縁用支持具の縦断面図である。
【図４】（ａ）〜（ｃ）は実施形態に係るボード上縁用支持具の変形例を示す斜視図である。
【考案を実施するための形態】
【０００８】
以下、本考案の実施の形態について、図面を参照しながら説明する。
図１に本実施形態に係るボード上縁用支持具Ｘの斜視図を示し、図２にボード上縁用支持具Ｘの分解斜視図を示す。ボード上縁用支持具Ｘは、第一Ｌ字部材１０、第二Ｌ字部材２０、固定ネジ３０、旗立て部４０とから構成される。
第一Ｌ字部材１０は水平に配置される短冊状の板体であって上面中央に貫通したネジ穴１１ａが設けられるネジ穴上面部１１と、ネジ穴上面部１１の長手方向側の一方の端部から下垂する短冊状の板体である第一下垂部１２とから構成される。
第二Ｌ字部材２０は水平に配置される短冊状の板体であって長手方向に伸びる長穴２１ａが中央に設けられる長穴上面部２１と、長穴上面部２１の長手方向側の一方の端部から下垂する短冊状の板体である第二下垂部２２とから構成される。第二Ｌ字部材２０の長穴上面部２１は、図１、２に示すように、ネジ穴１１ａと長穴２１ａとが重なるように第一Ｌ字部材のネジ穴上面部１１の上側に重なる。また、第二下垂部２２のやや下方位置には、ネジ穴２３が設けられる。
【０００９】
固定ネジ３０はバネ座金３０ａを介して上方から長穴２１ａを通りネジ穴１１ａに係合することで、第一Ｌ字部材１０と第二Ｌ字部材２０とを締結固定するものである。第二Ｌ字部材の長穴上面部１１には第一下垂部１２から第二下垂部２２に至る方向に沿った長穴２１ａが形成されているので、第二下垂部２２は第一下垂部１２に対して、この方向に関して適宜移動させて固定することができる。言い換えると、ネジ穴上面部１１と長穴上面部２１との締結位置を変えることで、第一下垂部１２と第二下垂部２２との距離を適宜変更することができる。
旗立て部４０は、固定する対象物である旗を保持する対象物保持手段を構成するものであって、垂直に配置される短冊状の板体からなり、中央下方よりに貫通孔４１ａが設けられる固定板４１と、固定板上縁から斜め下方に折れ曲がる板体であって先端側に貫通孔４２ａが設けられる支持板４２と、支持板４２の貫通孔４２ａを通り、前記固定板４１に固定される、斜め上方に開口が向く、前記旗の軸を支持する筒体からなる軸保持部４３とから構成される。旗立て部４０は、固定板４１の貫通孔４１ａと、前記第二Ｌ字部材３０の第二下垂部２２のネジ穴２３とが重なるように、固定板４１と第二下垂部２２とを重ね、固定ネジ４４を貫通孔４１ａを介してネジ穴２３に係合させることで、第二Ｌ字部材３０に固定される。
【００１０】
次に、以上のような構成を有するボード上縁用支持具ＸのＸの使用方法について説明する。使用者は、固定ネジ３０を緩め、図３の縦断面図に示すように、旗を取り付ける幕板などのボードＢの幅に合わせて、第一下垂部１２と第二下垂部２２の距離を調節し、適当な位置で固定ネジ３０を締めて第一Ｌ字部材１０と第二Ｌ字部材２０とを締結固定する。この状態で第一Ｌ字部材のネジ穴上面部１１と第一下垂部１２と第二下垂部２２で形成されるコの字状の部分をボードＢの上縁に引っ掛けて上縁支持具ＸをボードＢ上縁に固定する。この状態で、旗立て部４０の軸保持部４３に旗の軸を指して固定する。このように、ボード上縁用支持具Ｘは第一下垂部１２と第二下垂部２２との距離を調節できるので、一定範囲内の厚みを有するボードであればどのようなものでも、第一下垂部１２と第二下垂部２２との距離を厚みに合わせてしっかりと係合させることができる。
【００１１】
なお、上記実施形態では、長穴上面部２１がネジ穴上面部１１の上側に配置されているが、こえは下側に配置してもよい。この場合、固定ネジ３０は下側から締結することとなる。また、上記実施形態では、第二下垂部２２に対象物係合手段となる旗立て部４０を固定したが、対象物係合手段は第一下垂部１２側に設けてもよい。
さらに、上記実施形態では対象物係合手段として旗立てのみを設けたが、図４（ａ）に示すように、軸保持部４３と、ボードを挟んで固定するボードキャッチ４６とを設けるといったように、複数の対象物係合手段を設けてもよい。また、図４（ｂ）に示すように、第二下垂部２２又は第一下垂部１２に直接対象物係合手段を一体に形成してもよい。さらに、図４（ｃ）に示すように第二下垂部２２、第一下垂部１２のいずれにも対象物係合手段を設けることなく平らな板体としておき、これに粘着テープで対象物係合手段となる旗立てやボードキャッチを固定するようにしてもよい。
【符号の説明】
【００１２】
X    ボード上縁用支持具
１０  第一Ｌ字部材
１１  ネジ穴上面部
１１ａ  ネジ穴
１２  第一下垂部
２０  第二Ｌ字部材
２１  長穴上面部
２１ａ  長穴
２２  第二下垂部
３０  固定ネジ
４０  旗立て部
【図１】
0003157594.tif 000003
【図２】
0003157594.tif 000004
【図３】
0003157594.tif 000005
【図４】
0003157594.tif 000006
【手続補正書】
【提出日】平成21年12月3日(2009.12.3)
【手続補正１】
【補正対象書類名】実用新案登録請求の範囲
【補正対象項目名】請求項２
【補正方法】変更
【補正の内容】
【請求項２】
前記第一下垂部又は前記第二下垂部のいずれか一方に前記対象物を保持する対象物保持手段が設けられるものである請求項１に記載のボード上縁用支持具。